(57)【要約】【課題】ユーザにとって適切な電子テキストを作成する際に、ユーザの操作の負担を軽減することができる電子テキスト作成装置及び電子テキスト作成方法を提供する。【解決手段】作成者の入力に基づいて、宛先人へ送付される電子テキストを作成する電子テキスト作成装置であって、作成者及び宛先人の識別子の少なくとも一方に基づいて、作成者及び宛先人のユーザ情報、又は、作成者もしくは宛先人のユーザ情報を出力するユーザ情報管理部１１と、入力キーワードに基づいて文章のカテゴリを決定する文章カテゴリ決定部１２と、入力キーワードに基づいて単語のカテゴリを決定する単語カテゴリ決定部１３Ａ〜Ｘと、ユーザ情報、文章のカテゴリ及び単語のカテゴリに基づいて、文章の雛形を決定する文章雛形決定部１４と、入力キーワードを代入し電子テキストの文章を出力するキーワード代入部１５とを備えて構成される。【選択図】図１
2011002922.tif 000002
【特許請求の範囲】
【請求項１】
作成者の入力に基づいて、宛先人へ送付される電子テキストを作成する電子テキスト作成装置であって、
前記作成者及び前記宛先人の識別子の少なくとも一方に基づいて、前記作成者及び前記宛先人の前記ユーザ情報、又は、前記作成者もしくは前記宛先人の前記ユーザ情報を出力するユーザ情報管理手段と、
前記作成者により入力された入力キーワードに基づいて文章のカテゴリを決定する文章カテゴリ決定手段と、
前記入力キーワードに基づいて単語のカテゴリを決定する単語カテゴリ決定手段と、
前記ユーザ情報管理手段により出力された前記ユーザ情報、前記文章カテゴリ決定手段により決定された前記文章のカテゴリ、及び前記単語カテゴリ決定手段により決定された前記単語のカテゴリに基づいて、前記電子テキストの前記文章の雛形を決定する文章雛形決定手段と、
前記文章雛形決定手段により決定された前記文章の雛形に対し、前記入力キーワードを代入し前記電子テキストの文章を出力するキーワード代入手段と、
を備えることを特徴とする電子テキスト作成装置。
【請求項２】
前記ユーザ情報管理手段は、前記ユーザ情報として、前記作成者もしくは前記宛先人の性別、年齢、住所、出身地、方言、職業、趣味、前記作成者と前記宛先人との関係の属性、又は前記作成者と前記宛先人との親密度の情報のうち少なくとも１つの情報を用いることを特徴とする請求項１に記載の電子テキスト作成装置。
【請求項３】
前記文章カテゴリ決定手段及び前記単語カテゴリ決定手段の少なくとも一方は、前記ユーザ情報及び前記入力キーワードに基づいてカテゴリを決定することを特徴とする請求項１又は２に記載の電子テキスト作成装置。
【請求項４】
前記文章雛形決定手段は、前記文章の雛形の候補を複数出力し、
前記キーワード代入手段は、前記電子テキストの文章を複数出力し、
前記キーワード代入手段により出力された前記電子テキストの複数の文章を前記作成者に提示し、前記作成者の選択情報を受け付け、前記選択情報に基づいて前記電子テキストの文章を出力するテキスト提示手段を備え、
前記ユーザ情報管理手段は、当該作成者の選択情報を前記ユーザ情報に反映し、
前記文章雛形決定手段は、前記ユーザ情報に含まれる前記作成者の選択情報を考慮して前記電子テキストの文章の雛形を決定すること、
を特徴とする請求項１〜３の何れか一項に記載の電子テキスト作成装置。
【請求項５】
前記作成者の音声を音声認識によりテキストに変換して前記入力キーワードとして入力する音声入力手段を備えることを特徴とする請求項１〜４の何れか一項に記載の電子テキスト作成装置。
【請求項６】
作成者の入力に基づいて、宛先人へ送付される電子テキストを作成する電子テキスト作成方法であって、
前記作成者及び前記宛先人の識別子の少なくとも一方に基づいて、前記作成者及び前記宛先人の前記ユーザ情報、又は、前記作成者もしくは前記宛先人の前記ユーザ情報を出力するユーザ情報管理ステップと、
前記作成者により入力された入力キーワードに基づいて文章のカテゴリを決定する文章カテゴリ決定ステップと、
前記入力キーワードに基づいて単語のカテゴリを決定する単語カテゴリ決定ステップと、
前記ユーザ情報管理ステップにより出力された前記ユーザ情報、前記文章カテゴリ決定ステップにより決定された前記文章のカテゴリ、及び前記単語カテゴリ決定ステップにより決定された前記単語のカテゴリに基づいて、前記電子テキストの前記文章の雛形を決定する文章雛形決定ステップと、
前記文章雛形決定ステップにより決定された前記文章の雛形に対し、前記入力キーワードを代入し前記電子テキストの文章を出力するキーワード代入ステップと、
を備えることを特徴とする電子テキスト作成方法。
【請求項７】
前記ユーザ情報管理ステップは、前記ユーザ情報として、前記作成者もしくは前記宛先人の性別、年齢、住所、出身地、方言、職業、趣味、前記作成者と前記宛先人との関係の属性、又は前記作成者と前記宛先人との親密度の情報のうち少なくとも１つの情報を用いることを特徴とする請求項６に記載の電子テキスト作成方法。
【請求項８】
前記文章カテゴリ決定ステップ及び前記単語カテゴリ決定ステップの少なくとも一方は、前記ユーザ情報及び前記入力キーワードに基づいてカテゴリを決定することを特徴とする請求項６又は７に記載の電子テキスト作成方法。
【請求項９】
前記文章雛形決定ステップは、前記文章の雛形の候補を複数出力し、
前記キーワード代入ステップは、前記電子テキストの文章を複数出力し、
前記キーワード代入ステップにより出力された前記電子テキストの複数の文章を前記作成者に提示し、前記作成者の選択情報を受け付け、前記選択情報に基づいて前記電子テキストの文章を出力するテキスト提示ステップを備え、
前記ユーザ情報管理ステップは、当該作成者の選択情報を前記ユーザ情報に反映し、
前記文章雛形決定ステップは、前記ユーザ情報に含まれる前記作成者の選択情報を考慮して前記電子テキストの文章の雛形を決定すること、
を特徴とする請求項６〜８の何れか一項に記載の電子テキスト作成方法。
【請求項１０】
前記文章カテゴリ決定ステップ及び前記単語カテゴリ決定ステップの前に、前記作成者の音声を音声認識によりテキストに変換して前記入力キーワードとして入力する音声入力ステップを備えることを特徴とする請求項６〜９の何れか一項に記載の電子テキスト作成方法。
【発明の詳細な説明】
【技術分野】
【０００１】
本発明は、電子テキストの文章を作成する電子テキスト作成装置及び電子テキスト作成方法に関する。
【背景技術】
【０００２】
携帯電話やパーソナルコンピュータなど情報機器端末を用いて、電子テキストを送受信する電子メールサービスが広く知られている。また、近年ではテキスト情報に加え、画像やアニメーションによって装飾を施した電子メールサービスも存在する。
【０００３】
携帯電話など画面やキーボードの小さい装置では、長い文章や多様な装飾を作成することにユーザが負担を感じる場合がある。
【０００４】
特許文献１では、文章の分野およびキーワードのみを入力することで、予め蓄積した文章雛形からの引用およびキーワード代入処理によって、長い文章を生成する方法が示されている。
【先行技術文献】
【特許文献】
【０００５】
【特許文献１】特開平１０−３２０３８８号公報
【発明の概要】
【発明が解決しようとする課題】
【０００６】
しかし、特許文献１に記載の電子テキスト作成装置は、以下に示すような問題点があった。すなわち、上記電子メールサービスのように、送信者や受信者の特性によって、多様な言い回し（方言や言葉遣い）や装飾が必要とされる環境では、多様な雛形の候補の中からユーザに適した雛形を選択するために、ユーザ操作の負担が大きくなるという問題があった。
【０００７】
そこで、本発明はこのような技術課題を解決するためになされたものであって、ユーザにとって適切な電子テキストを作成する際に、ユーザの操作の負担を軽減することができる電子テキスト作成装置及び電子テキスト作成方法を提供することを目的とする。
【課題を解決するための手段】
【０００８】
すなわち、本発明に係る電子テキスト作成装置は、作成者の入力に基づいて、宛先人へ送付される電子テキストを作成する電子テキスト作成装置であって、前記作成者及び前記宛先人の識別子の少なくとも一方に基づいて、前記作成者及び前記宛先人の前記ユーザ情報、又は、前記作成者もしくは前記宛先人の前記ユーザ情報を出力するユーザ情報管理手段と、前記作成者により入力された入力キーワードに基づいて文章のカテゴリを決定する文章カテゴリ決定手段と、前記入力キーワードに基づいて単語のカテゴリを決定する単語カテゴリ決定手段と、前記ユーザ情報管理手段により出力された前記ユーザ情報、前記文章カテゴリ決定手段により決定された前記文章のカテゴリ、及び前記単語カテゴリ決定手段により決定された前記単語のカテゴリに基づいて、前記電子テキストの前記文章の雛形を決定する文章雛形決定手段と、前記文章雛形決定手段により決定された前記文章の雛形に対し、前記入力キーワードを代入し前記電子テキストの文章を出力するキーワード代入手段とを備えて構成される。
【０００９】
本発明に係る電子テキスト作成装置では、ユーザ情報管理手段により、作成者及び宛先人の識別子の少なくとも一方に基づいて、作成者及び宛先人のユーザ情報、又は、作成者もしくは宛先人のユーザ情報が出力され、文章カテゴリ決定手段により、作成者により入力された入力キーワードに基づいて文章のカテゴリが決定され、単語カテゴリ決定手段により、入力キーワードに基づいて単語のカテゴリが決定され、文章雛形決定手段により、ユーザ情報管理手段により出力されたユーザ情報、文章カテゴリ決定手段により決定された文章のカテゴリ、及び単語カテゴリ決定手段により決定された単語のカテゴリに基づいて、電子テキストの文章の雛形が決定され、キーワード代入手段により、決定された文章の雛形に対して入力キーワードが代入されて電子テキストの文章が出力される。このように、文章の雛形を決定する際に、作成者又は宛先人のユーザ情報を利用することができるので、作成者にとって適切な文章の雛形を決定して、電子テキスト作成に関するユーザ操作の負担を抑えることが可能となる。
【００１０】
ここで、前記ユーザ情報管理手段は、前記ユーザ情報として、前記作成者もしくは前記宛先人の性別、年齢、住所、出身地、方言、職業、趣味、前記作成者と前記宛先人との関係の属性、又は前記作成者と前記宛先人との親密度の情報のうち少なくとも１つの情報を用いてもよい。
【００１１】
このように構成することで、文体や装飾に影響を与える項目をユーザ情報に含ませることができるので、作成者の意図をより正確に反映した電子テキストを作成することが可能となる。
【００１２】
また、前記文章カテゴリ決定手段及び前記単語カテゴリ決定手段の少なくとも一方は、前記ユーザ情報及び前記入力キーワードに基づいてカテゴリを決定することが好適である。
【００１３】
このように構成することで、文章のカテゴリ及び単語のカテゴリの少なくとも一方を、ユーザ情報を利用して決定することができるので、作成者の意図に沿ったカテゴリを決定することが可能となる。よって、作成者の意図をより正確に反映した電子テキストを作成することができる。
【００１４】
また、前記文章雛形決定手段は、前記文章の雛形の候補を複数出力し、前記キーワード代入手段は、前記電子テキストの文章を複数出力し、前記キーワード代入手段により出力された前記電子テキストの複数の文章を前記作成者に提示し、前記作成者の選択情報を受け付け、前記選択情報に基づいて前記電子テキストの文章を出力するテキスト提示手段を備え、前記ユーザ情報管理手段は、当該作成者の選択情報を前記ユーザ情報に反映し、前記文章雛形決定手段は、前記ユーザ情報に含まれる前記作成者の選択情報を考慮して前記電子テキストの文章の雛形を決定することが好適である。
【００１５】
このように構成することで、作成者が選択した情報を履歴として記録することができるので、次回以降の文章の雛形の決定処理に反映することが可能となる。このように、文章の雛形の決定処理に、作成者の傾向や特性を利用することができるため、作成者の意図した内容が一層正確に反映された電子テキストを作成することが可能となる。
【００１６】
さらに、前記作成者の音声を音声認識によりテキストに変換して前記入力キーワードとして入力する音声入力手段を備えることが好適である。
【００１７】
このように構成することで、作成者はキーボードを操作することなく、音声でキーワードを入力することができる。よって、キーボード操作を苦手とする作成者にとって、より負担を抑えることが可能となる。
【００１８】
また、本発明に係る本発明に係る電子テキスト作成方法は、作成者の入力に基づいて、宛先人へ送付される電子テキストを作成する電子テキスト作成方法であって、前記作成者及び前記宛先人の識別子の少なくとも一方に基づいて、前記作成者及び前記宛先人の前記ユーザ情報、又は、前記作成者もしくは前記宛先人の前記ユーザ情報を出力するユーザ情報管理ステップと、前記作成者により入力された入力キーワードに基づいて文章のカテゴリを決定する文章カテゴリ決定ステップと、前記入力キーワードに基づいて単語のカテゴリを決定する単語カテゴリ決定ステップと、前記ユーザ情報管理ステップにより出力された前記ユーザ情報、前記文章カテゴリ決定ステップにより決定された前記文章のカテゴリ、及び前記単語カテゴリ決定ステップにより決定された前記単語のカテゴリに基づいて、前記電子テキストの前記文章の雛形を決定する文章雛形決定ステップと、前記文章雛形決定ステップにより決定された前記文章の雛形に対し、前記入力キーワードを代入し前記電子テキストの文章を出力するキーワード代入ステップとを備えて構成される。
【００１９】
ここで、前記ユーザ情報管理ステップは、前記ユーザ情報として、前記作成者もしくは前記宛先人の性別、年齢、住所、出身地、方言、職業、趣味、前記作成者と前記宛先人との関係の属性、又は前記作成者と前記宛先人との親密度の情報のうち少なくとも１つの情報を用いることが好適である。
【００２０】
また、前記文章カテゴリ決定ステップ及び前記単語カテゴリ決定ステップの少なくとも一方は、前記ユーザ情報及び前記入力キーワードに基づいてカテゴリを決定することが好適である。
【００２１】
また、前記文章雛形決定ステップは、前記文章の雛形の候補を複数出力し、前記キーワード代入ステップは、前記電子テキストの文章を複数出力し、前記キーワード代入ステップにより出力された前記電子テキストの複数の文章を前記作成者に提示し、前記作成者の選択情報を受け付け、前記選択情報に基づいて前記電子テキストの文章を出力するテキスト提示ステップを備え、前記ユーザ情報管理ステップは、当該作成者の選択情報を前記ユーザ情報に反映し、前記文章雛形決定ステップは、前記ユーザ情報に含まれる前記作成者の選択情報を考慮して前記電子テキストの文章の雛形を決定することが好適である。
【００２２】
さらに、前記文章カテゴリ決定ステップ及び前記単語カテゴリ決定ステップの前に、前記作成者の音声を音声認識によりテキストに変換して前記入力キーワードとして入力する音声入力ステップを備えることが好適である。
【００２３】
上述した電子テキスト作成方法は、上述した電子テキスト作成装置と同様の効果を奏する。
【発明の効果】
【００２４】
本発明によれば、ユーザにとって適切な電子テキストを作成する際に、ユーザの操作の負担を軽減することができる。
【図面の簡単な説明】
【００２５】
【図１】第１実施形態に係る電子テキスト作成装置の機能構成図である。
【図２】第１実施形態に係る電子テキスト作成装置のハードウェア構成図である。
【図３】第１実施形態に係る電子テキスト作成装置の動作を示すフローチャートである。
【図４】文章候補の一例である。
【図５】第２実施形態に係る電子テキスト作成装置の機能構成図である。
【図６】第３実施形態に係る電子テキスト作成装置の機能構成図である。
【図７】第３実施形態に係る電子テキスト作成装置の動作を示すフローチャートである。
【発明を実施するための形態】
【００２６】
以下、添付図面を参照して本発明の実施形態に係る電子テキスト作成装置及び電子テキスト作成方法について説明する。なお、図面の説明において同一の要素には同一の符号を付し、重複する説明を省略する。
【００２７】
（第１実施形態）
本実施形態に係る電子テキスト作成装置及び電子テキスト作成方法は、例えば、電子メール等を作成する場合に好適に採用されるものである。なお、電子テキストとは、電子化された文書であって、文字や装飾によって記述された文章を含むものである。
【００２８】
まず、本実施形態に係る電子テキスト作成装置１の構成の概要について、図１を参照して説明する。図１は、第１実施形態に係る電子テキスト作成装置１の機能構成を示すブロック図である。
【００２９】
図１に示すように、電子テキスト作成装置１は、機能的構成要素として、ユーザ情報管理部１１、文章カテゴリ決定部１２、単語カテゴリ決定部１３Ａ〜Ｘ、文章雛形決定部１４及びキーワード代入部１５を備えている。
【００３０】
この電子テキスト作成装置１は、図２に示すハードウェアにより実現される。図２は、電子テキスト作成装置１のハードウェア構成図である。例えば、この電子テキスト作成装置１は、携帯電話などに備えられているものとする。図２に示すように、電子テキスト作成装置１は、物理的には、ＣＰＵ１０１、主記憶装置であるＲＡＭ１０２及びＲＯＭ１０３、入力デバイスであるキーボードや音声マイク等の操作部１０４、ディスプレイ１０５、及び、無線通信モジュールである無線通信部１０６などを含む装置として構成されている。図１を用いて説明する各機能は、図２に示すＣＰＵ１０１、ＲＡＭ１０２等のハードウェア上に所定のソフトウェアを読み込ませることにより、ＣＰＵ１０１の制御のもとで操作部１０４、ディスプレイ１０５、無線通信部１０６を動作させるとともに、ＲＡＭ１０２等におけるデータの読み出し及び書き込みを行うことで実現される。なお、後述するデータベースは、例えば、主記憶装置であるＲＡＭ１０２又はＲＯＭ１０３に格納される。
【００３１】
図１に戻り、電子テキスト作成装置１の各機能ブロックを説明する。ユーザ情報管理部１１は、電子テキストの作成者の識別子（送信者識別子）及び宛先人の識別子（受信者識別子）の少なくとも一方に基づいて、文章の雛形を決定するためのユーザ情報を決定する機能を有している。そして、ユーザ情報管理部１１は、ユーザ情報を文章雛形決定部１４へ出力する機能を有している。すなわち、ユーザ情報管理部１１は、文章雛形決定部１４が多様な文章の雛形の中からユーザの特性に適合した候補を絞り込むことができるように、ユーザ情報を出力する機能を有している。
【００３２】
ユーザ情報管理部１１は、例えば、送信者（作成者）及び受信者（宛先人）の少なくとも一方のユーザ情報が識別子に関連付けられて格納されるユーザ情報データベース（不図示）を参照可能に構成されている。ユーザ情報データベースは、ユーザ情報管理部１１から参照可能に構成されており、送信者識別子及び受信者識別子に関連付けられたユーザ情報が格納されている。
【００３３】
送信者識別子及び受信者識別子とは、電子テキストを送信するユーザ（作成者）及び受信するユーザ（宛先人）を指定するインデックス情報である。このため、携帯電話のように、一つの装置について利用する送信ユーザが限定されている場合、ユーザ情報管理部１１は、送信者識別子については明示的な入力を必要としない。ただし、１台の携帯電話上でプライベート用と仕事用など複数のモードを切り替えて用いる場合には、ユーザ情報管理部１１は、モードの情報を送信者識別子として入力してもよい。一方、受信者識別子に関しては、例えば送信ユーザのアドレス帳のインデックス情報と対応付けてもよい。なお、送信者識別子及び受信者識別子は、固有のインデックスであればよく、本装置のために任意に作成するインデックスの他、例えば、電話番号、メールアドレス、ＭＡＣアドレスなどを利用してもよい。これは、電子テキスト作成装置１の機能の一部または全部を、ネットワーク上の情報処理装置（サーバ）に実装する場合に有効である。
【００３４】
各識別子に対応したユーザ情報として、文章の文体や装飾に影響する情報が用いられる。例えば、大阪弁を話すユーザであれば大阪弁の文体、男性であれば男性的な言葉遣い、２０代であれば若者言葉かつポップな装飾、猫好きであれば猫のイラストを用いた装飾が好まれる。一方で、受信者が、送信者に対して目上と思われる４０代の男性であったり、または、関係として「上司」のような立場であれば、言葉遣いを丁寧にした文体であったり、過度な装飾を避けた文章テキストが好まれる。また、「上司」という関係であっても親密さによってメールの言い回しを変更する場合もある。
【００３５】
このため、ユーザ情報としては、例えば、送信者もしくは受信者の性別、年齢、住所、出身地、方言、職業、趣味、または送信者と受信者の関係の属性もしくは親密度が用いられる。ここで、関係の属性とは、例えば「友達」「親」「子」「恋人」「上司」「部下」などが挙げられる。また、親密度は、親密さを数値指標としたものであり、段階的に文体を使い分けるために用いられる。ユーザ情報管理部１１が文章雛形決定部１４へユーザ情報を出力することで、文章雛形決定部１４は送信者が意図する文体や装飾を予測することができる。ただし、ユーザ情報の利用方法はこれに限ったものではない。また、ユーザ情報は、これらに限ったものではなく、送信者もしくは受信者の言語的な特性を表す情報または送信者と受信者の関係性を表す情報であればよい。
【００３６】
文章カテゴリ決定部１２は、送信者により入力された入力キーワードのうち少なくとも１つに基づいて、作成する文章のカテゴリを決定する機能を有している。そして、文章カテゴリ決定部１２は、作成する文章のカテゴリを文章雛形決定部１４へ出力する機能を有している。すなわち、文章カテゴリ決定部１２は、文章雛形決定部１４が多様な文章の雛形の中からユーザの用件に適合した候補を絞り込むことができるように、文章のカテゴリを出力する機能を有している。
【００３７】
入力キーワードは、送信者により操作部１０４を介して入力される。例えば、キーボード操作によって直接文字として入力されるほか、マイクによってユーザの音声を音声認識することで文字として入力されてもよい。また、キーワードは単語として個別に入力される必要はなく、入力した文章から自然言語処理によって単語抽出をすることで入力されてもよい。
【００３８】
文章カテゴリ決定部１２は、例えば、電子テキストの文章のカテゴリがキーワードに関連付けられて格納される文章カテゴリデータベース（不図示）を参照可能に構成されている。文章カテゴリデータベースは、文章カテゴリ決定部１２から参照可能に構成されており、キーワードに関連付けられた電子テキストの文章のカテゴリが例えば対応表として格納されている。文章のカテゴリとは、例えば「了解」「拒否」「集合」「お願い」「質問」などの文章の用件を表す分類である。
【００３９】
文章カテゴリ決定部１２は、上述した文章カテゴリデータベースを参照し、送信者によって入力されたキーワードに対応する文章のカテゴリを出力する機能を有している。また、入力キーワードのうち１つが文章カテゴリを明示的に含まれている場合には、文章カテゴリ決定部１２は、入力キーワードを文章のカテゴリとしてそのまま読替えてもよい。例えば「ＯＫ」というキーワードが送信者により入力された場合には、文章カテゴリ決定部１２は、文章のカテゴリは「了解」と判断してもよい。また、文章カテゴリ決定部１２は、１つの入力キーワードによって文章のカテゴリが明示的に与えられない場合には、複数のキーワードから文章のカテゴリを推定する機能を有している。例えば、文章カテゴリ決定部１２は、「明日９時」「渋谷駅」というキーワードを入力した場合には、「明日９時に渋谷駅に来て欲しい」という「集合」カテゴリ、または「明日９時に渋谷駅に行きます」という「報告」カテゴリを推定する。この推定の方法としては、「明日９時」「渋谷駅」というキーワードの原型、または「日時」「場所」のような単語カテゴリが指定されたことから尤度の高い文章カテゴリを選択する方法が考えられ、この尤度情報は過去にユーザが作成した電子テキストを根拠にすることも考えられる。
【００４０】
単語カテゴリ決定部１３Ａ〜Ｘは、送信者によって入力されたキーワードに基づいて、単語のカテゴリを決定する機能を有している。そして、単語カテゴリ決定部１３Ａ〜Ｘは、決定した単語のカテゴリを文章雛形決定部１４へ出力する機能を有している。すなわち、単語カテゴリ決定部１３Ａ〜Ｘは、文章雛形決定部１４が多様な文章の雛形の中から電子テキストの要点となるキーワードをより多く代入できる文章雛形を絞り込むことができるように、単語のカテゴリを出力する機能を有している。
【００４１】
単語カテゴリ決定部１３Ａ〜Ｘは、例えば、単語のカテゴリがキーワードに関連付けられて格納される単語カテゴリデータベース（不図示）を参照可能に構成されている。単語カテゴリデータベースは、単語カテゴリ決定部１３Ａ〜Ｘから参照可能に構成されており、キーワードに関連付けられた単語のカテゴリが例えば対応表として格納されている。単語カテゴリとは、例えば「日時」「場所」「食べ物」「スポーツ」「金額」などの単語の分類である。ただし、時間であれば「時」や「分」、金額であれば「円」など単位のみをキーワードとして登録することで対応表の規模を少なくすることも可能である。また、１つのキーワードに複数の単語カテゴリが対応している場合も存在する。例えば、「渋谷」の単語カテゴリには地名および人名が対応する。このとき、地名と人名のどちらを出力するかについては、過去の履歴に基づく方法、他の入力キーワードとの共起の確率の高い単語カテゴリを選択する方法などが考えられる。
【００４２】
単語カテゴリ決定部１３Ａ〜Ｘは、上述した単語カテゴリデータベースを参照し、送信者によって入力されたキーワードに対応する単語のカテゴリを出力する機能を有している。
【００４３】
文章カテゴリや単語カテゴリの対応の具体的な探索方法については限定しない。また、これら文章カテゴリまたは単語カテゴリの決定方法は、対応表を用いない方法でも当然に良い。
【００４４】
文章雛形決定部１４は、ユーザ情報管理部１１より出力されたユーザ情報、文章カテゴリ決定部１２より決定された文章カテゴリ情報および単語カテゴリ決定部１３Ａ〜Ｘより決定された単語カテゴリ情報に基づいて、予め準備した文章雛形データベース（不図示）から、条件により適合した電子テキストの文章の雛形を少なくとも１つ決定する機能を有している。文章雛形データベースは、文章雛形決定部１４から参照可能に構成されており、例えばユーザ情報、文章カテゴリ及び単語カテゴリに関連付けされた文章の雛形が格納されている。
【００４５】
また、文章雛形決定部１４は、文章の雛形の候補を複数提示し、各入力に対する適合度合いに応じて、提示順位を並び替える機能を有している。このとき、各入力の適合度合いに重みをつけてもよい。すなわち、例えば、メールの用件は確実に伝えたく、キーワードも出来る限り伝えたいが、言い回しについては多少不自然であっても許容されるとした場合、文章カテゴリ、単語カテゴリ、ユーザ情報の順位で重み付けを行うことが考えられる。
【００４６】
キーワード代入部１５は、文章雛形決定部１４より出力された１つ以上の文章雛形に対して、単語カテゴリの対応する空白箇所にキーワードを代入する機能を有している。ただし、キーワード代入部１５は、全ての入力キーワードを代入する必要はなく、一部の入力キーワードを代入するのみでもよい。
【００４７】
次に、本実施形態に係る電子テキスト作成装置１の動作について説明する。図３は本実施形態に係る電子テキスト作成装置１の動作を示すフローチャートである。図３に示す制御処理は、例えば電子テキスト作成装置１の電源ＯＮされたタイミングから所定の間隔で繰り返し実行される。
【００４８】
最初に、電子テキスト作成装置１は、入力キーワード確認処理から開始する（Ｓ１０）。Ｓ１０の処理は、ユーザによって操作部１０４を介してキーワードが入力されたか否かを判定する処理である。Ｓ１０の処理において、入力キーワードがないと判定した場合には、図３に示す制御処理を終了する。一方、Ｓ１０の処理において、入力キーワードがあると判定した場合には、ユーザ情報決定処理へ移行する（Ｓ１２）。
【００４９】
Ｓ１２の処理は、ユーザ情報管理部１１が実行し、送信者識別子及び受信者識別子の少なくとも一方を用いてユーザ情報を決定する処理である。例えば、大阪出身の２８歳の男性が、「集まれ」「明日９時」「渋谷駅」とキーワードを入力したとＳ１０の処理で判断したとする。この場合、ユーザ情報管理部１１は、ユーザ情報データベースを参照し、送信者識別子に基づいて、ユーザ情報として「男性」「２０代」「大阪弁」を出力する。また、ユーザ情報管理部１１は、受信者識別子に基づいて、受信者に関する情報や、送信者と受信者の関係の属性もしくは親密度を出力する。Ｓ１２の処理が終了すると、文章カテゴリ決定処理へ移行する（Ｓ１４）。
【００５０】
Ｓ１４の処理は、文章カテゴリ決定部１２が実行し、Ｓ１０の処理で入力したと判定したキーワードに基づいて文章のカテゴリを決定する処理である。例えば、文章カテゴリ決定部１２は、文章カテゴリデータベースを参照し、「集まれ」という入力キーワードに基づいて、文章のカテゴリを「集合」に決定する。Ｓ１４の処理が終了すると、単語カテゴリ決定処理へ移行する（Ｓ１６）。
【００５１】
Ｓ１６の処理は、単語カテゴリ決定部１３Ａ〜Ｘが実行し、Ｓ１０の処理で入力したと判定したキーワードに基づいて単語のカテゴリを決定する処理である。例えば、単語カテゴリ決定部１３Ａ〜Ｘは、単語カテゴリデータベースを参照し、「明日９時」「渋谷駅」という入力キーワードに基づいて、単語のカテゴリを「日時」「場所」に決定する。Ｓ１６の処理が終了すると、文章雛形決定処理へ移行する（Ｓ１８）。
【００５２】
Ｓ１８の処理は、文章雛形決定部１４が実行し、Ｓ１２の処理で出力したユーザ情報、Ｓ１４の処理で決定した文章のカテゴリ及びＳ１６の処理で決定した単語のカテゴリに基づいて、文章の雛形を決定する処理である。ここで、文章雛形データベースに図４に示す文章雛形が格納されているとする。図４に示す文章雛形は、ユーザ情報、文章カテゴリ及び単語カテゴリに関連付けされている。図４に示すように、送信者性別、送信者年代、送信者方言、受信者との関係及び受信者との親密度というユーザ情報、及び文章カテゴリと文章雛形とが関連付けされて格納されている。また、文章雛形には、時間、日時、場所という単語カテゴリが含まれている。
【００５３】
文章雛形決定部１４は、図４に示す文章雛形のうち、条件を満たす文章の雛形を選択する。例えば、Ｓ１２の処理において、送信者のユーザ情報として「男性」「２０代」「大阪弁」が出力された場合には、文章雛形決定部１４は、図４のＮｏ．１，３，ｎ１，ｎ２，ｎ３に示す文章雛形を候補として選択する。また、Ｓ１２の処理において出力されたメールの送信相手（受信者）のユーザ情報が「友人」であれば、図４のＮｏ．１，２，３に示す文章雛形を候補として選択する。一方、受信者のユーザ情報が「上司」であればＮｏ．ｎ１，ｎ２，ｎ３に示す文章雛形を候補として選択する。また、Ｓ１２の処理において出力された親密度が３であれば、図４のＮｏ．１，２，３に示す文章雛形を候補として選択する。また、Ｓ１４の処理において決定された文章カテゴリが「集合」であれば、図４のＮｏ．３，ｎ１，ｎ２，ｎ３に示す文章雛形を候補として選択する。また、Ｓ１６の処理において決定された単語カテゴリが「日時」「場所」であれば、図４のＮｏ．３，ｎ１，ｎ２に示す文章雛形を候補として選択する。すなわち、送信者のユーザ情報として「男性」「２０代」「大阪弁」、受信者のユーザ情報として「友人」「親密度３」、文章カテゴリ「集合」、単語カテゴリ「日時」「場所」であれば、文章雛形決定部１４は、上記の条件を全て満たすＮｏ．３に示す文章雛形を決定する。Ｓ１８の処理が終了すると、文章作成処理へ移行する（Ｓ２０）。
【００５４】
Ｓ２０の処理は、キーワード代入部１５により実行され、Ｓ１８の処理で決定した文章雛形に対して、Ｓ１０の処理で入力したキーワードを、単語カテゴリの対応する空白箇所に代入する処理である。例えば、Ｓ１０の処理で「明日９時」「渋谷駅」という入力キーワードを判定し、Ｓ１８の処理でＮｏ．３に示す文章雛形を選択した場合には、キーワード代入部１５は、「明日９時に渋谷集合な！よろしくたのんますm（__）m」という文章を作成する。なお、全ての入力キーワードを代入する必要はない。以上によって、電子テキストが出力される。Ｓ２０の処理が終了すると、図３に示す制御処理を終了する。
【００５５】
以上で図３に示す制御処理を終了する。図３に示す制御処理を実行することにより、ユーザ情報を利用して文章の雛形を決定することができるので、ユーザの意図にあった文章を作成することが可能となる。このため、電子テキスト作成に関するユーザ操作の負担を抑えることができる。
【００５６】
上述したように、第１実施形態に係る電子テキスト作成装置１及び電子テキスト作成方法によれば、ユーザ情報管理部１１（ユーザ情報管理ステップ）により、送信者及び受信者の識別子の少なくとも一方に基づいて、送信者及び受信者のユーザ情報、又は、送信者もしくは受信者のユーザ情報が出力され、文章カテゴリ決定部１２（文章カテゴリ決定ステップ）により、送信者により入力された入力キーワードに基づいて文章のカテゴリが決定され、単語カテゴリ決定部１３Ａ〜Ｘ（単語カテゴリ決定ステップ）により、入力キーワードに基づいて単語のカテゴリが決定され、文章雛形決定部１４（文章雛形決定ステップ）により、ユーザ情報管理部１１により出力されたユーザ情報、文章カテゴリ決定部１２により決定された文章のカテゴリ、及び単語カテゴリ決定部１３Ａ〜Ｘにより決定された単語のカテゴリに基づいて、電子テキストの文章の雛形が決定され、キーワード代入部１５（キーワード代入ステップ）により、決定された文章の雛形に対して入力キーワードが代入されて電子テキストの文章が出力される。このように、文章の雛形を決定する際に、送信者又は受信者のユーザ情報を利用することができるので、送信者にとって適切な文章の雛形を決定して、電子テキスト作成に関するユーザ操作の負担を抑えることが可能となる。
【００５７】
また、第１実施形態に係る電子テキスト作成装置１及び電子テキスト作成方法によれば、文体や装飾に影響を与える項目をユーザ情報に含ませることができるので、送信者の意図をより正確に反映した電子テキストを作成することが可能となる。
【００５８】
さらに、第１実施形態に係る電子テキスト作成装置１及び電子テキスト作成方法によれば、ユーザはキーボードを操作することなく、音声でキーワードを入力することができる。よって、キーボード操作を苦手とするユーザにとって、より負担を抑えることが可能となる。
【００５９】
（第２実施形態）
次に、本発明の第２実施形態に係る電子テキスト作成装置及び電子テキスト作成方法について説明する。
【００６０】
第２実施形態に係る電子テキスト作成装置及び電子テキスト作成方法は、図１に示す第１実施形態に係る電子テキスト作成装置１とほぼ同様に構成されるものであり、文章のカテゴリの決定方法及び単語のカテゴリの決定方法の少なくとも一方が相違する。よって、第１実施形態と同様の構成要素は第１実施形態と同様の符号を付して説明を省略し、相違点を中心に説明する。
【００６１】
図５は、本実施形態に係る電子テキスト作成装置２の機能構成図である。図５に示すように、電子テキスト作成装置２は、第１実施形態に係る電子テキスト作成装置１に比べて、ユーザ情報管理部２１が、文章カテゴリ決定部２２および単語カテゴリ決定部２３Ａ〜Ｘに対しても情報の出力を行う点が相違する。
【００６２】
文章カテゴリ決定部２２及び単語カテゴリ決定部２３Ａ〜Ｘのいずれか少なくとも１つは、入力キーワードと、送信者及び受信者のユーザ情報の少なくとも一方とに基づいて、カテゴリ情報の決定を行う機能を有している。例えば、「渋谷」は地名にも人名にもある単語であり、これをどちらと判断するかによって出力テキストは異なる。そこで、例えば、送信者Ａは渋谷区周辺に住んでいるとすると地名と判断し、送信者Ｂは大阪に住んでおり、アドレス帳に渋谷という姓の人物が登録されている場合人名と判断する、などが考えられる。また、送信者のユーザ情報ではなく、受信者のユーザ情報を反映することや、送信者と受信者の共起によって判断を切り替えることも可能である。また、住所やアドレス帳などの登録情報のほかに、過去に作成した電子テキストの分析結果から尤度を求めることも考えられる。
【００６３】
その他の構成及び機能は第１実施形態に係る電子テキスト作成装置１と同様である。また、第２実施形態に係る電子テキスト作成装置２の動作は、第１実施形態に係る電子テキスト作成装置１の動作とほぼ同様であり、図３のＳ１４又はＳ１６の処理において、カテゴリを決定する際にユーザ情報を利用する点以外は同様である。このように動作することにより、入力キーワードから文章または単語のカテゴリを決定する際に、ユーザにとって適切なカテゴリを選択することができ、より正確な意図を反映した電子テキストを作成することができる。
【００６４】
以上、第２実施形態に係る電子テキスト作成装置２及び電子テキスト作成方法によれば、第１実施形態に係る電子テキスト作成装置１と同様の効果を奏するとともに、ユーザ情報を利用して文章のカテゴリ及び単語のカテゴリの少なくとも一方を決定することができるので、送信者の意図に沿ったカテゴリを決定することが可能となる。よって、送信者の意図をより正確に反映した電子テキストを作成することができる。
【００６５】
（第３実施形態）
次に、本発明の第３実施形態に係る電子テキスト作成装置及び電子テキスト作成方法について説明する。
【００６６】
第３実施形態に係る電子テキスト作成装置及び電子テキスト作成方法は、図１に示す第１実施形態に係る電子テキスト作成装置１とほぼ同様に構成されるものであり、ユーザに対して文章の候補を複数提示して選択させるとともに、選択した履歴をユーザ情報に反映させる点が相違する。よって、第１実施形態と同様の構成要素は第１実施形態と同様の符号を付して説明を省略し、相違点を中心に説明する。
【００６７】
図６は、本実施形態に係る電子テキスト作成装置３の機能構成図である。図６に示すように、電子テキスト作成装置３は、第１実施形態に係る電子テキスト作成装置１に比べて、テキスト提示部１６を備えるとともに、ユーザ情報管理部３１が過去のテキスト提示部１６の出力情報を入力するように構成される点が相違する。
【００６８】
テキスト提示部１６は、キーワード代入部１５の出力である複数候補の電子テキストをユーザに提示する機能を有している。提示手段としては、例えば図２のディスプレイ１０５に表示することが考えられる。また、ユーザから、図２の操作部１０４を通じて選択の情報を受けつけ、選択された電子テキストを最終的な電子テキストとして出力するほか、ユーザ選択情報をユーザ情報管理部３１に出力する機能を有している。
【００６９】
ユーザ情報管理部３１は、過去にテキスト提示部１６より入力されたユーザ選択情報（選択結果）をもとに、ユーザ情報を更新する機能を有している。ユーザ情報は多様な種類が想定され、また、送信者と受信者の対応ごとの設定を考えると、その全てを事前に登録するとユーザに負担が大きくなる。そのため、初期状態では大まかに設定しておき、実際にメールの送信を繰り返すことで、よりユーザ情報の特性を反映していくことが可能となる。
【００７０】
その他の構成及び機能は第１実施形態に係る電子テキスト作成装置１と同様である。
【００７１】
次に、第３実施形態に係る電子テキスト作成装置３の動作について説明する。図７は、第３実施形態に係る電子テキスト作成装置３の動作を示すフローチャートである。図７に示す制御処理は、例えば電子テキスト作成装置３の電源ＯＮのタイミングから所定の間隔で繰り返し実行される。なお、図７のＳ３０〜Ｓ４０までの処理は、第１実施形態に係る電子テキスト作成装置１の動作（図３のＳ１０〜Ｓ２０までの処理）と同様であるので、説明は省略する。ここでは、Ｓ３８の処理において複数の文章の雛形が選択され、Ｓ４０の処理において複数の文章が作成された場合を説明する。
【００７２】
Ｓ４２の処理は、テキスト提示部１６が実行し、Ｓ４０の処理で生成された複数の候補の電子テキストをユーザに提示する処理である。テキスト提示部１６は、例えば図２のディスプレイ１０５に複数の候補の電子テキストを表示する。Ｓ４２の処理が終了すると、入力受付処理へ移行する（Ｓ４４）。
【００７３】
Ｓ４４の処理は、テキスト提示部１６が実行し、ユーザの入力を受け付ける処理である。テキスト提示部１６は、ユーザから、図２の操作部１０４を通じて選択の情報を受けつけ、選択された電子テキストを最終的な電子テキストとして出力する。Ｓ４４の処理が終了すると、ユーザ情報更新処理へ移行する（Ｓ４６）。
【００７４】
Ｓ４６の処理は、テキスト提示部１６及びユーザ情報管理部３１が実行し、ユーザ情報を更新する処理である。テキスト提示部１６は、送信者が選択した文章雛形に関する情報をユーザ情報管理部３１へ出力する。ユーザ情報管理部３１は、送信者が選択した文章雛形に関する情報に基づいて、例えば、ユーザ情報データベースを更新する。例えば、アドレス帳に「友人」として登録しているメンバについては、全て同じ設定をユーザ情報として登録されているものとする。このとき、大阪弁の送信者が「遅刻」のテキストを書くと、第１実施形態に係る電子テキスト作成装置１の文章雛形決定部１４であれば、友人に対しては大阪弁の文章雛形が最適であると判断し、図４のＮｏ．１に示す文章雛形を選択する。しかし、大阪弁ではなく標準語で話す関係の友人Ｃがいる場合もある。このため、テキスト提示部１６によって図４のＮｏ．１，２に示す文章雛形にキーワードを代入したものを送信者に提示し、送信者が標準語の候補（図４のＮｏ．２）を選択した場合には、次回以降は友人Ｃに対しては標準語を使用するように設定を反映する。また、一度の選択結果を次回から必ず反映するほかに、確率や累積回数によって徐々に反映することも可能である。
【００７５】
また、予めユーザ情報データベースに友人Ｃとは標準語で話す関係であることを登録しておいてもよいが、上記処理によってユーザ情報を選択結果に基づいて更新することができるので、送信者が設定することなく、最適なユーザ情報に更新することができる。
【００７６】
また、ユーザ情報である年齢や親密度については期間により変動することがある。例えば、宛先人が上司であり、最初は図４のＮｏ．ｎ２に示す文章雛形を用いて文章を作成していた場合であっても、親しくなるにつれてＮｏ．ｎ１に示す文章雛形に変えるなどの可能性が考えられる。このため、文章雛形候補を選択する際に、現在の親密度の±１の範囲で候補を出力するなどが考えられる。
【００７７】
Ｓ４６の処理が終了すると、図７に示す制御処理を終了する。図７に示す制御処理を実行することにより、ユーザが選択した情報から、次回以降、どのような文章雛形を提示すべきかを反映することができる。よって、ユーザの属性情報をより正確に反映することができ、より正確な意図を反映した電子テキストを作成することができる。
【００７８】
以上、第３実施形態に係る電子テキスト作成装置３及び電子テキスト作成方法によれば、第１実施形態に係る電子テキスト作成装置１と同様の効果を奏するとともに、ユーザ情報管理部３１及びテキスト提示部１６により、送信者が選択した情報を履歴として記録することができるので、次回以降の文章の雛形の決定処理に反映することが可能となる。このため、文章の雛形の決定処理に、送信者の傾向や特性を利用することができるため、送信者の意図した内容が一層正確に反映された電子テキストを作成することが可能となる。
【００７９】
なお、上述した実施形態は本発明に係る電子テキスト作成装置及び電子テキスト作成方法の一例を示すものである。本発明に係る電子テキスト作成装置及び電子テキスト作成方法は、各実施形態に係る電子テキスト作成装置及び電子テキスト作成方法に限られるものではなく、各請求項に記載した要旨を変更しない範囲で、各実施形態に係る電子テキスト作成装置及び電子テキスト作成方法を変形し、又は他のものに適用したものであってもよい。
【００８０】
例えば、上述した実施形態では、図３に示す文章雛形を用いて処理する例を説明したが、文章雛形の格納方法については、ユーザ情報、文章カテゴリ、単語カテゴリに対して雛形が対応していればよく、図３の方法に限定するものではない。また、文章雛形は図３のようなテキスト形式の他に、HTMLやFlashの形式で格納することも可能である。
【００８１】
また、上述した実施形態では、入力キーワード判定処理（Ｓ１０，Ｓ３０）、ユーザ情報決定処理（Ｓ１２，Ｓ３２）、文章カテゴリ決定処理（Ｓ１４，Ｓ３４）、単語カテゴリ決定処理（Ｓ１６，Ｓ３６）、文章雛形決定処理（Ｓ１８，Ｓ３８）の順で処理される例を説明したが、この順番に限られるものではない。例えば、第１実施形態においては、入力キーワード判定処理、ユーザ情報決定処理、文章カテゴリ決定処理及び単語カテゴリ決定処理の処理順序としては、少なくとも入力キーワード判定処理の後に文章カテゴリ決定処理及び単語カテゴリ決定処理が実行されていればよい。また、第２実施形態においては、入力キーワード判定処理、ユーザ情報決定処理、文章カテゴリ決定処理及び単語カテゴリ決定処理の処理順序としては、少なくとも入力キーワード判定処理及びユーザ情報決定処理の後に文章カテゴリ決定処理及び単語カテゴリ決定処理が実行されていればよい。また、上述した実施形態においては、文章雛形決定処理の前に、入力キーワード判定処理、ユーザ情報決定処理、文章カテゴリ決定処理、単語カテゴリ決定処理が実行されていればよい。
【符号の説明】
【００８２】
１，２，３…電子テキスト作成装置、１１，２１，３１…ユーザ情報管理部（ユーザ情報管理手段）、１２，２２…文章カテゴリ決定部（文章カテゴリ決定手段）、１３Ａ〜Ｘ，２３Ａ〜Ｘ…単語カテゴリ決定部（単語カテゴリ決定手段）、１４…文章雛形決定部（文章雛形決定手段）、１５…キーワード代入部（キーワード代入手段）、１６…テキスト提示部（テキスト提示手段）。
【図１】
2011002922.tif 000003
【図２】
2011002922.tif 000004
【図３】
2011002922.tif 000005
【図４】
2011002922.tif 000006
【図５】
2011002922.tif 000007
【図６】
2011002922.tif 000008
【図７】
2011002922.tif 000009